(57)【特許請求の範囲】
【請求項１】
建屋１の内部を仕切壁２により操作室３と機械室４とに仕切り、操作室側３側には玄米投入部５、操作盤６、白米取出部７を設け、機械室４側には、投入ホッパ８と投入ホッパ８に投入した玄米を石抜きする石抜機９ｂと石抜機９ｂで石抜きされ精米昇降機９で搬送された玄米を精米する精米機１０と精米機１０で発生した糠を回収する糠回収手段１１を設け、前記操作盤６には、投入されたコイン枚数を表示するコイン枚数表示灯３２、コインの投入口のあるコインメック３３、もち米を精米する時に押すもち米選択スイッチ３４、白度選択用の上白スイッチ３５，標準スイッチ３６，８分スイッチ３７を設け、前記もち米選択ボタン３４を選択した場合には前記白度選択用の上白スイッチ３５，標準スイッチ３６，８分スイッチ３７のいずれのスイッチを押さなくても所定時間後に上白で精米作業を開始する構成とし、前記建屋１に複数の販売用玄米タンク６３を並設し、該販売用玄米タンク６３の下部にはロータリバルブ６４を設け、該販売用玄米タンク６３の近傍には品種別の販売用玄米タンク６３を選択する玄米選択設定器、購入玄米重量を設定する重量設定器、金銭投入器、つり銭払出器を備えた玄米販売用の操作盤を設け、前記玄米選択設定器および前記重量設定器を操作し、購入玄米情報が設定されると、これに関連して、ＣＰＵから玄米取出指令が出され、前記ロータリバルブ６４により取り出された玄米を前記投入ホッパ８に供給する構成とし、投入ホッパ８には計量器６５を設け、投入ホッパ８に供給された玄米を計量する構成としたことを特徴とする無人精米施設。
【発明の詳細な説明】
【０００１】
【産業上の利用分野】
この発明は、無人精米施設に関する。
【０００２】
【従来の技術】
近年、利用者が持ち込む原料玄米や籾を精白処理する無人精米施設が普及している。
【０００３】
【発明が解決しようとする課題】
複数の販売用玄米タンクに品種別に玄米を入れ、選択した玄米を精米する玄米販売機がある。
【０００４】
この発明は、無人精米施設に玄米販売機能を付加し、装置の共用化を図りコストの削減をしようとするものである。
【０００５】
【課題を解決するための手段】
この発明は、このような従来技術のもつ問題点を解決するために、次の技術的手段を講じた。即ち、この発明は、建屋１の内部を仕切壁２により操作室３と機械室４とに仕切り、操作室側３側には玄米投入部５、操作盤６、白米取出部７を設け、機械室４側には、投入ホッパ８と投入ホッパ８に投入した玄米を石抜きする石抜機９ｂと石抜機９ｂで石抜きされ精米昇降機９で搬送された玄米を精米する精米機１０と精米機１０で発生した糠を回収する糠回収手段１１を設け、前記操作盤６には、投入されたコイン枚数を表示するコイン枚数表示灯３２、コインの投入口のあるコインメック３３、もち米を精米する時に押すもち米選択スイッチ３４、白度選択用の上白スイッチ３５，標準スイッチ３６，８分スイッチ３７を設け、前記もち米選択ボタン３４を選択した場合には前記白度選択用の上白スイッチ３５，標準スイッチ３６，８分スイッチ３７のいずれのスイッチを押さなくても所定時間後に上白で精米作業を開始する構成とし、前記建屋１に複数の販売用玄米タンク６３を並設し、該販売用玄米タンク６３の下部にはロータリバルブ６４を設け、該販売用玄米タンク６３の近傍には品種別の販売用玄米タンク６３を選択する玄米選択設定器、購入玄米重量を設定する重量設定器、金銭投入器、つり銭払出器を備えた玄米販売用の操作盤を設け、前記玄米選択設定器および前記重量設定器を操作し、購入玄米情報が設定されると、これに関連して、ＣＰＵから玄米取出指令が出され、前記ロータリバルブ６４により取り出された玄米を前記投入ホッパ８に供給する構成とし、投入ホッパ８には計量器６５を設け、投入ホッパ８に供給された玄米を計量する構成としたことを特徴とする無人精米施設としたものである。
【０００６】
【作用】
購入玄米情報が設定されると、これに関連して、ＣＰＵから玄米取出指令が出され、選択された玄米の販売用玄米タンク６３，６３，…のロ−タリバルブ６４が、所定時間駆動されて、購入玄米が投入ホッパ８に取り出される。
次いで、取り出された玄米は計量器６５で計量され、計量された玄米重量に関連して、無人精米施設の操作盤６の料金表示装置（図示省略）に精米料金が表示される。
投入ホッパ８の玄米は精米機１０に供給されて精米され、精米された白米は白米取出部から取り出される。
【０００７】
また、無人精米施設に玄米が持ち込まれて投入ホッパ８に投入されると、玄米が計量器６５で計量され、前記と同様に精米される。もち米を精米する場合にはもち米選択ボタン３４を押す。そのとき、上白スイッチ３５，標準スイッチ３６，８分スイッチ３７のいずれのスイッチを押さなくても所定時間後に上白で精米作業を開始される。
【０００８】
【実施例】
以下、この発明の一実施例を図面に基づいて説明する。１は無人精米施設を設置する建屋で、建家１の内部は、仕切壁２により操作室３と機械室４とに仕切られている。操作室３側には、玄米投入部５，操作盤６，白米取出部７等を設け、機械室４側には、投入ホッパ８，石抜機９ｂ，精米昇降機９，精米機１０，糠回収手段１１等を設けている。
【０００９】
前記玄米投入部５の操作室３側には、仕切壁２の開口部１２に対向して玄米置き台１３を設け、また、前記玄米投入部５の機械室４側には、投入ホッパ８を臨ませて設けている。この投入ホッパ８の下部には、供給ラセン１４を内装する供給樋１５を連設し、供給ラセン１４の軸部における一端側には、駆動モ−タ１６を設けて、回転連動可能に構成されている。
【００１０】
前記供給樋１５の移送終端側を、石抜機用昇降機９ａの下部ホッパを臨ませ、石抜機用昇降機９ａの上部ホッパの下方に石抜機９ｂを臨ませ、石抜機９ｂの玄米取出口を精米昇降機９の下部側ホッパに臨ませ、精米昇降機９の上部タンクの下方には、精米機１０の玄米タンク１７をのぞませている。この精米機１０は、精白室１８内に精白ロール１９を内装する公知の形態であり、除糠スクリーン２０から分離した糠は、糠搬送ファン２１により、糠回収手段１１に搬送される。２２は精米機モ−タで、前記精白ロール１９や糠搬送ファン２１等を回転駆動する。前記精白室１８の出口側を、白米取出部７としての白米タンク２３に臨ませている。２４は精白室１８に送風する送風ファンである。精白度の調節は白度調節モ−タ２５の正逆回転により行い、出口側の圧迫板２６に加わる白度調節ばねの弾性圧変更により行われる。
【００１１】
糠回収手段１１は、サイクロン２７，このサイクロン２７の下部に臨んでいて、且つ、落下した糠を横方向に移送する糠移送ラセン２８の支架されている樋２９，該樋２９の途中部及び終端側に開口されている排出部，該排出部から落下する糠を受ける糠袋３０，３０から構成されている。前記操作室３側にある操作盤６の操作盤面には、図４に示すように、玄米投入部５への玄米投入の可否を表示する玄米投入可ランプ３１，投入されたコイン枚数を表示するコイン枚数表示灯３２，コインの投入口のあるコインメック３３，もち米を精米する時に押すもち米選択スイッチ３４，白度選択用の上白スイッチ３５，標準スイッチ３６，８分スイッチ３７，料金追加ランプ５５，精米終了ランプ５６，料金表３８（例えば、「１０ｋｇまで１００円」）等を設けている。
【００１２】
前記コインメック３３には、投入コインの識別部や投入コイン毎に作動するコインセンサ３９等が設けられている。そして、この操作盤６の内部には、各部駆動用のモ−タを駆動制御するマイクロコンピュータ（以下ＣＰＵという）４０を備えている。図５は制御関係のブロック図を示すもので、前記ＣＰＵ４０には、入力インタ−フエイスを経由して、コインの投入検出によりＯＮするコインセンサ３９，自動スイッチ４２，前記もち米選択スイッチ３４，精白度選択用の上白スイッチ３５，標準スイッチ３６，８分スイッチ３７，図示省略の負荷電流センサの過負荷検出で駆動用モ−タをＯＦＦに切替る過負荷スイッチ４３，供給ラセンの時間切替スイッチ４４、精白度を強側あるいは弱側にする精白度調節スイッチ４５，玄米タンク１７に設けられている玄米のなくなったことを検出する終了検出スイッチ４６，停止スイッチ４７，回転センサ４８，手動スイッチ４９が、夫れ夫れ接続されている。
【００１３】
また、ＣＰＵ４０には、出力インタ−フエイスを経由して、精米機１０・精米昇降機９・糠移送ラセン２８を駆動する精米機モ−タ２２駆動用の精米機駆動手段５０（リレ−で構成），供給ラセン１４を駆動する駆動モ−タ１６の駆動手段５１（リレ−で構成），白度調節スイッチ４５を精白度強側に調節する精白度強駆動手段５２（リレ−で構成），白度調節スイッチ４５を精白度弱側に調節する精白度弱駆動手段５３（リレ−で構成），コインメック３３のコイン投入口を閉鎖しコイン投入を禁止するコイン投入禁止手段５４（リレ−で構成），もち米選択スイッチ・ランプ３４ａ，上白スイッチ・ランプ３５ａ，標準スイッチ・ランプ３６ａ，八分スイッチ・ランプ３７ａ，コイン枚数表示灯３２，料金追加ランプ５５，精米終了ランプ５６が、夫れ夫れ接続されている。
【００１４】
次に、ＣＰＵ４０の制御機能について説明する。
１．コインセンサ３９からの信号を受けて、所定種類（この実施例では、１００円硬貨である。）のコイン投入枚数を算出して、コイン枚数表示灯３２にコイン投入枚数を表示する。
２．次いで、上白スイッチ３５，標準スイッチ３６，八分スイッチ３７の白度選択スイッチの何れかがＯＮされると、精白作業がスタ−トし、前記投入コインの枚数に応じて、内蔵のタイマ機構を動作して、所定時間（例えば、１００円当り１３５秒）にわたり、駆動モ−タ１６の駆動手段５１に励磁信号を出力すると共に、精米機１０の駆動モ−タ２２や昇降機９の駆動用モ−タ等の機械駆動系のモ−タにも同様の駆動信号を出力する。
３．コイン投入枚数に基づく設定時間が経過すると、設定時間（例えば３０秒）だけ遅れて、精米機１０駆動用の精米機モ−タ２２等の本機駆動系モ−タを停止する指令信号を出力して、これらの駆動が終了し、精米作業が終了する。
４．前記のように、精米作業が行われるのであるが、これと平行して次のような制御がなされる。即ち、精米作業が開始すると、料金追加ランプ５５に料金追加可能の表示がされると共に、所定時間（例えば、１３５秒）毎に、コイン枚数が１枚づつ減算され、当該減算内容がコイン枚数表示灯３２に表示される。
【００１５】
このような減算枚数の表示中に、コインの追加投入があると、残存枚数と追加枚数との合計枚数がコイン枚数表示灯３２に表示される。その後は、前記と同様の減算が０枚になるまで繰り返され、残存枚数０枚の表示がされる。次いで、料金追加ランプ５５にコイン追加投入可不可の表示がされて、コイン投入の禁止に切替られ、次いで、終了動作ランプ５６が点灯して「まもなく停止します。」との表示がなされ、コイン枚数表示灯３２に残存枚数０枚の表示がされ、所定時間後にコイン枚数表示灯３２が消灯する。
【００１６】
なお、次の制御を付加してもよい。もち米の玄米を投入ホッパ８に投入し、コインメック３３にコインを投入し、もち米選択スイッチ３４をＯＮすると、所定時間後に自動的に前記白度選択スイッチから上白スイッチ３５が選択されたものとして、上白で精米作業を開始する構成とする。また、前記所定時間内に利用者により前記上白スイッチ３５，標準スイッチ３６，八分スイッチ３７の白度選択スイッチの何れかがＯＮされると、選択された白度で精米作業が開始される構成とする。
【００１７】
このように構成すると、白度ボタンを押さなくても所定時間後に精米が開始されて、利用者の故障との勘違いを少なくし、また、自動的に精米作業が開始された場合にも、もち米での白度選択において多く選択される上白で精米されて、利用者の思惑外れを少なくできる。
次に、図６に基づき制御の他の実施例について説明する。
【００１８】
投入ホッパ８には穀粒投入センサ５８を設け、また、精米機１０の玄米タンク１７には玄米満杯センサ５９が設けられていて、これらのセンサはＣＰＵ４０に夫れ夫れ接続されている。次に、ＣＰＵ４０の制御内容について説明する。コインを投入し、玄米を投入ホッパ８に供給すると、装置各部はコイン投入と同時に起動されて運転を開始する。すると、投入ホッパ８からの玄米は、供給ラセン１４，石抜機用昇降機９ａ，石抜機９ｂ，精米昇降機９，玄米タンク１７を経て、精米機１０に供給されて精米され、白米は白米取出部７を経て操作室３内に回収される。
【００１９】
このような精米行程において、玄米満杯センサ５９が１回目の玄米タンク１７の満杯を検出すると、所定時間（ｔ秒）の玄米供給停止指令が出されて、供給ラセン駆動モ−タ１６が停止し、供給ラセン１４が停止し、所定時間が経過すると、駆動が再開され投入玄米の供給が再開される。次いで、玄米満杯センサ５９が２回目の満杯を検出すると、２回目の玄米の供給停止制御がされる。この２回目の停止時間は、前記所定時間ｔ秒よりも所定比率あるいは所定時間減少した減少所定時間（ｔ′秒）の間停止され、その後に玄米の供給駆動が再開され、順次玄米の供給を停止する所定時間を減少しつつ、玄米の供給停止制御がなされる構成である。
【００２０】
しかして、玄米満杯センサ５９の玄米タンク１７の満杯検出に関連してなされる玄米供給停止制御が、供給停止時間が順次短くなりながら駆動が再開されるので、玄米の詰まりを防止しながら、精米者の不安感を解消し、待ち時間を少なくすることができる。
【００２１】
次に、図７及び図８に示す実施例について説明する。この実施例は糠回収手段１１に取り出された糠を、機械室４側あるいは操作室３側のいずれからでも取出できるようにしようとするものである。糠搬送フアン２１から送られた糠は、サイクロン２７，糠移送ラセン２８のある樋２９を経て、樋２９の途中部及び終端側から糠袋３０，３０に回収され、機械室４側に回収される構成は、前記実施例と同様である。
【００２２】
糠移送モ−タ６０により、樋２９の糠移送ラセン２８が正転駆動されると、糠は左側に移送されて糠袋３０に取り出され、また、逆転すると、反対の右側に移送されて、樋２９の右側端部からシュ−ト６１（あるいはラセン移送装置でもよい）を経て、操作室３側の糠取出部６２に取り出される構成である。次に、糠の操作室３側への取出操作について説明する。
【００２３】
操作盤６には、糠取出ボタン（図示省略）が設けられていて、この糠取出ボタンはＣＰＵ４０に接続されている。しかして、精米機１０の運転中あるいは運転開始前に、前記糠取出ボタンを１回押すと、精米開始時から所定時間後に、比較的短い所定時間にわたり糠取出指令が出され、糠移送モ−タ６０が逆転して、サイクロン２７から取り出された糠は、樋２９，シュ−ト６１を経て、所定時間だけ糠取出部６２に取り出され、所定時間が経過すると、糠移送モ−タ６０が正転に切り替えられて、サイクロン２７から取り出された糠は、正転する糠移送ラセン２８で貯留側の左側に移送され、樋２９から糠袋３０に収納される。なお、この比較的短い所定時間で取り出される糠は、通常持ち込まれる玄米量に対応するよりも少ない量で、例えば、玄米５Ｋｇの糠米により発生する糠量である。
【００２４】
しかして、糠が不足している場合には、再度糠取出ボタンを押すと、前記と同様にして、比較的少ない所定量の糠が取り出される。なお、糠取出ボタンを所定時間（例えば、５秒）連続して押し続ける操作をすると、精米開始時から、あるいは、精米開始所定時間後から精米終了までの全時間にわたっての糠取出指令が出され、利用者が持ち込んだ玄米に対応する全量の糠が取り出される構成である。
【００２５】
従来の糠取出装置にあっては、図７および図８の点線で示すように、糠袋３０への回収用のサイクロン，操作室３側への取出用のサイクロン，両サイクロンへの切替弁を必要として、構成が複雑であり、また、糠取出ボタンを押して糠取出側に切り替えると、精米機１０が停止するか、あるいは、再度糠取出ボタンを押すまでは、操作室３側への取出状態が継続するため、利用者の不注意により取り出された糠が袋からあふれるなどの不具合があったが、このような欠点も解消できるものである。また、前記実施例のように、シュ−ト６１の近傍の樋２９にサイクロン２７を配置すると、精米機１０から送られた新しい糠を操作室３側に早く取り出すことができて、前回利用者の糠との混合米を防止できる。
【００２６】
次に、図９の実施例について説明する。この実施例は、前記無人精米施設に玄米販売機能を付加し、装置の共用化を図りコストの削減をしようとするものである。前記無人精米施設には、玄米販売用の複数の販売用玄米タンク６３，６３，…が並設されていて、この販売用玄米タンク６３，６３，…の下部には、ロ−タリバルブ６４，６４，…が夫れ夫れ設けられている。ロ−タリバルブ６４により取り出された玄米は、投入ホッパ８に供給され、底部の計量器６５で重量が計量される構成である。
【００２７】
販売用玄米タンク６３，６３，…の近傍の玄米販売用の操作盤（図示省略）には、品種別の販売用玄米タンク６３，６３，…を選択する玄米選択設定器，購入玄米重量を設定する重量設定器，金銭投入器、つり銭払出器等が設けられていて、ＣＰＵに夫れ夫れ接続されている。これらの設定器を操作し、購入玄米情報が設定されると、これに関連して、ＣＰＵから玄米取出指令が出され、選択された玄米の販売用玄米タンク６３，６３，…のロ−タリバルブ６４が、所定時間駆動されて、購入玄米が投入ホッパ８に取り出される。
【００２８】
次いで、取り出された玄米は計量器６５で計量され、計量された玄米重量に関連して、無人精米施設の操作盤６の料金表示装置（図示省略）に精米料金が表示され、次いで、精米料金がコインメック３３に投入され、前記上白スイッチ３５，標準スイッチ３６，八分スイッチ３７の白度選択スイッチの何れかがＯＮされると、精白作業が前記実施例と同様にスタ−トし、前記投入コインの枚数に応じて、内蔵のタイマ機構を動作して、所定時間にわたり精米施設が駆動され、玄米が精米される。
【００２９】
また、無人精米施設に玄米が持ち込まれて投入ホッパ８に投入されると、玄米が計量器６５で計量され、前記と同様に精米される。前記の構成であるので、玄米販売用の投入ホッパ及び無人精米施設の投入ホッパ８を共用化することにより、空間の有効利用及びコスト低減を図ることができ、また、精米料金を投入玄米の重量で決定し精米作業を開始するので、玄米の未処理によるトラブルを解消できる。
【００３０】
次に、図１〜図５に示す前記実施例の作用について説明する。予め原料玄米の量に見合う運転時間を確保できるだけのコインを、コインメック３３の投入口に投入し、玄米を投入ホッパ８に供給する。すると、装置各部はコイン投入と同時に起動されて運転を開始し、投入ホッパ８からの玄米は供給ラセン１４によって横方向に移送されて、精米昇降機９の下部に供給されて揚穀され、玄米タンク１７に供給される。
【００３１】
次いで、玄米タンク１７から精米機１０の精白室１８内に流下する玄米は、精白ロール１９の回転により、穀粒間乃至除糠スクリーン２０間との摩擦で表面の糠層が剥がされて精白される。この際、出口の圧迫板２６は、精白選択用の上白スイッチ３５，標準スイッチ３６，八分スイッチ３７により選択設定された所望の圧力に設定されており、希望の精白度に精米される。
【００３２】
精白室１８から流下した精白米は、白米取出部７を経て操作室３内に回収される。装置の運転各部は投入金額により設定された時間が経過すると、まず、供給ラセン１４の駆動モ−タ１６が停止し、次いで、所定時間遅れて精米機等の本機駆動モ−タが停止する。前記のように精米作業がされるのであるが、これと平行して、精米作業が開始すると、投入コインについて所定時間毎に１００円づつの減算計算がなされ、当該減算内容がコイン枚数表示灯３２に表示され、また、作業中にコインの追加投入があると、残存枚数と追加枚数との合計枚数がコイン枚数表示灯３２に表示され、以後同様の減算表示が０枚になるまで繰り返され、最後に０枚の表示がされ、精米作業が終了する。
【００３３】
【発明の効果】
玄米販売用の投入ホッパ及び無人精米施設の投入ホッパ８を共用化することにより、空間の有効利用及びコスト低減を図ることができ、また、精米料金を投入玄米の重量で決定し精米作業を開始するので、玄米の未処理によるトラブルを解消できる。また、もち米の場合にもち米選択スイッチ３４を押すと所定時間後に上白で精米作業を開始することで利用者が故障との勘違いを少なくし、また、自動的に精米作業が開始された場合にも、もち米での白度選択において多く選択される上白で精米されて、利用者の思惑外れを少なくすることができる。
【図面の簡単な説明】
【図１】全体平面図
【図２】装置の概略を示すフロ−図
【図３】精米機の側断面図
【図４】操作盤の正面図
【図５】ブロック図
【図６】装置全体の概要を示すフロ−図
【図７】装置全体の概要を示すフロ−図
【図８】全体の平面図
【図９】装置全体の概要を示すフロ−図
【符号の説明】
１…建家，２…仕切壁，３…操作室，４…機械室，５…玄米投入部，６…操作盤，７…白米取出部，８…投入ホッパ，９…精米昇降機，９ａ…石抜機用昇降機，９ｂ…石抜機，１０…精米機，１１…糠回収手段，１２…開口部，１３…玄米置き台，１４…供給ラセン，１５…供給樋，１６…供給ラセン駆動モ−タ，１７…玄米タンク，１８…精白室，１９…精白ロ−ル，２０…徐糠スクリ−ン，２１…糠搬送フアン，２２…精米機モ−タ，２３…白米タンク，２４…送風フアン，２５…白度調節モ−タ，２６…圧迫板，２７…サイクロン，２８…糠移送ラセン，２９…樋，３０…糠袋，３１…玄米投入可能ランプ，３２…コイン枚数表示灯，３３…コインメック，３４…もち米選択スイッチ，３５…上白スイッチ，３６…標準スイッチ，３７…八分スイッチ，３８…料金表，３９…コインセンサ，４０…マイクロコンピュ−タ（ＣＰＵ），４３…過負荷停止スイッチ４３，４４…供給ラセン時間切スイッチ，４５…白度調節スイッチ，４６…終了検出スイッチ，４７…停止スイッチ，４８…回転センサ，４９…手動スイッチ，５０…精米機駆動手段，５１…駆動手段，５２…精白度強駆動手段，５３…精白度弱駆動手段，５４…コイン投入禁止手段，５５…料金追加ランプ，５６…精米終了ランプ，５７…料金表示灯，５８…穀粒投入センサ５８，５９…玄米満杯センサ，６０…糠移送モ−タ，６１…シュ−ト，６２…糠取出部，６３…販売用玄米タンク６３，６４…ロ−タリバルブ，６５…計量器
【図１】
0003769801.tif 000002
【図２】
0003769801.tif 000003
【図３】
0003769801.tif 000004
【図４】
0003769801.tif 000005
【図５】
0003769801.tif 000006
【図６】
0003769801.tif 000007
【図７】
0003769801.tif 000008
【図８】
0003769801.tif 000009
【図９】
0003769801.tif 000010